(57)【特許請求の範囲】
【請求項１】
少なくとも１つの蛍光ランプ（ＦＬ）を有する負荷回路（４）がハーフブリッジ回路（Ｖ２，Ｖ３）を介して接続された集積制御・調整回路（ＩＣ）を持つ電子安定器を備え、負荷回路（４）の負荷電流を、ハーフブリッジ回路（Ｖ２，Ｖ３）の高周波調整される駆動回路（ＣＣＯ，ＳＥＬ，ＨＳＤ，ＬＳＤ）によって調整し、制御・調整回路（ＩＣ）において、
各ランプ始動時もしくは障害発生時に、予め決められた期間（Δｐｔ，Δｉｔ，Δｓｔ，Δｏｔ）、例えば予熱期間（Δｐｔ）もしくは点弧期間（Δｉｔ）を規定する信号列を持つ選択信号（Ｓ１，Ｓ２，Ｓ３，Ｓ４）を発生する時間発信器（ＰＳＴ，ＩＴ，ＣＴ）が始動され、
選択信号によって負荷電流の監視回路（ＭＯＮ）内でそれぞれ予め定められた種々の基準レベル（Ｍｐ，Ｍｉ，Ｍｄｏ，Ｍｏ）が作動され、
監視回路によって、パルス状の負荷電流の瞬時値が作動された基準レベルに到達するや否や、制御パルス（ＱＭ）が発生され、
制御パルス（ＱＭ）は現在の期間（Δｐｔ，Δｉｔ，ΔｓｔもしくはΔｏｔ）中におけるその発生又は不発生に応じて負荷回路の正常状態もしくは障害発生を表し、正常状態においては調整器の実際値として駆動回路（ＣＣＯ，ＳＥＬ，ＨＳＤ，ＬＳＤ）に供給され、もしくは障害発生時には電子安定器を自動的に遮断させる少なくとも１つの蛍光ランプの点灯方法において、
点弧期間（Δｉｔ）中、監視回路（ＭＯＮ）に供給され負荷電流から導出された電流信号に、制御・調整回路（ＩＣ）の内部に発生され規定のレベルを有する直流電流信号（ＤＣ）が重畳され、そのレベル値は負荷回路内で使用されている少なくとも１つの蛍光ランプの型式及び／又は回路に相応して設定され、このようにして重畳された信号が負荷回路でのランプ選択に無関係に予め定められた固定の基準レベル（Ｍｉ）に合わせられていることを特徴とする少なくとも１つの蛍光ランプの点灯方法。
【請求項２】
検出されるべき電流信号に重畳される直流電流信号（ＤＣ）が制御・調整回路（ＩＣ）の内部に設けられた直流電流源（ＩＭ）から発生され、この直流電流源（ＩＭ）は点弧期間（Δｉｔ）の間、時間発信器（ＰＳＴ，ＩＴ，ＣＴ）から発生された別の選択信号（Ｓ４）によって作動状態に保持されることを特徴とする請求項１記載の方法。
【請求項３】
内部の直流電流源（ＩＭ）のレベルが、ハーフブリッジ回路（Ｖ２，Ｖ３）の高周波調整される駆動回路（ＣＣＯ，ＳＥＬ，ＨＳＤ，ＬＳＤ）に外部で接続されハーフブリッジ回路のブランキングインターバルを決める抵抗（ＲＴＬ）を流れる電流によって設定されることを特徴とする請求項２記載の方法。
【請求項４】
駆動回路（ＣＣＯ，ＳＥＬ，ＨＳＤ，ＬＳＤ）とそれに接続されたハーフブリッジ回路（Ｖ２，Ｖ３）とによって生ぜしめられる負荷電流の調整が、点弧期間（Δｉｔ）中、少なくとも１つの蛍光ランプ（ＦＬ）の実際の点弧時点に至るまで不作動にされていることを特徴とする請求項１乃至３の１つに記載の方法。
【請求項５】
集積回路として形成された制御・調整回路（ＩＣ）を備え、これにハーフブリッジ回路（Ｖ２，Ｖ３）を介して少なくとも１つの蛍光ランプを有する負荷回路が負荷電流を調整するために接続され、その制御・調整回路（ＩＣ）に、
ハーフブリッジ回路（Ｖ２，Ｖ３）の高周波調整される駆動回路（ＣＣＯ，ＳＥＬ，ＨＳＤ，ＬＳＤ）と、
各ランプ始動時もしくは障害発生時に新たに始動され、予め決められた期間（Δｐｔ，Δｉｔ，Δｓｔ，Δｏｔ）、例えば予熱期間（Δｐｔ）もしくは点弧期間（Δｉｔ）を規定する信号列を持つ選択信号（Ｓ１，Ｓ２，Ｓ３，Ｓ４）を発生する時間発信器（ＰＳＴ，ＩＴ，ＣＴ）と、
複数の選択信号の１つによって個別にそれぞれ作動される複数の基準レベル（Ｍｐ，Ｍｉ，Ｍｄｏ，Ｍｏ）を有する閾値コンパレータとして形成されて、ハーフブリッジ回路に接続され、パルス状の負荷電流が瞬間的に作動された基準レベルに到達するや否やその都度制御パルス（ＱＭ）を発生する負荷電流の監視回路（ＭＯＮ）と、
が設けられ、その制御パルスが現在の期間（Δｐｔ，Δｉｔ，ΔｓｔもしくはΔｏｔ）中におけるその発生又は不発生に応じて負荷回路の正常状態もしくは障害発生を表し、正常状態においては調整器の実際値として駆動回路（ＣＣＯ，ＳＥＬ，ＨＳＤ，ＬＳＤ）に供給され、もしくは障害発生時には電子安定器を自動的に遮断させる少なくとも１つの蛍光ランプを点灯するための電子安定器において、
制御・調整回路（ＩＣ）は点弧期間（Δｉｔ）中少なくとも１つの蛍光ランプ（ＦＬ）の実際の点弧に至るまで作動される直流電流源（ＩＭ）を有し、その出力端が負荷電流から導出された電流信号の監視回路（ＭＯＮ）の入力端に接続され、それによってこの負荷電流信号に、負荷回路内で使用されたランプの型式及び／又は回路に基づいて設定された規定のレベル値を有する直流電流信号（ＤＣ）が重畳されることを特徴とする少なくとも１つの蛍光ランプを点灯するための電子安定器。
【請求項６】
ハーフブリッジ回路（Ｖ２，Ｖ３）の駆動回路（ＣＣＯ，ＳＥＬ，ＨＳＤ，ＬＳＤ）に外部で抵抗（ＲＴＬ）が接続され、この抵抗によってハーフブリッジ回路（Ｖ２，Ｖ３）のパワートランジスタのブランキングインターバルが決定され、内部の直流電流源（ＩＭ）のレベルがこの抵抗（ＲＴＬ）を流れる電流から導出されることを特徴とする請求項５記載の電子安定器。
【請求項７】
制御・調整回路（ＩＣ）には、駆動回路（ＣＣＯ，ＳＥＬ，ＨＳＤ，ＬＳＤ）の調整回路を、従って駆動回路に接続されているハーフブリッジ回路（Ｖ２，Ｖ３）を介する負荷電流の調整を、点弧期間（Δｉｔ）中、少なくとも１つの蛍光ランプ（ＦＬ）の実際の点弧時点に至るまで不作動にしているスイッチ（ＯＰＲｄ）が設けられていることを特徴とする請求項５又は６記載の電子安定器。
【請求項８】
閾値コンパレータとして形成された監視回路（ＭＯＮ）が、予熱期間（Δｐｔ）中もしくは点弧期間（Δｉｔ）中における負荷電流の基準レベル（Ｍｐ，Ｍｉ）の他に、関係式Ｍｐ＜Ｍｄｏ＜Ｍｉに基づいて決定されたレベル値を有する別の基準レベル（Ｍｄｏ）を備え、それによって監視回路（ＭＯＮ）が、その入力端に供給され負荷電流から導出された信号がこの別の基準レベル（Ｍｄｏ）を上回るや否や、新しい制御パルス（ＱＭ１）をその都度発生し、この制御パルスがスイッチ（ＯＰＲｄ）にレリーズパルスとして供給されることを特徴とする請求項７記載の電子安定器。
【発明の詳細な説明】
【０００１】
【発明の属する技術分野】
本発明は、請求項１の前文に記載された電子安定器による少なくとも１つの蛍光ランプの点灯方法ならびに請求項５の前文に記載された電子安定器自身に関する。
【０００２】
【従来の技術】
ヨーロッパ特許第０８０１８８１号明細書から、電子安定器による少なくとも１つの蛍光ランプの点灯方法が知られている。この電子安定器は、直列に接続されて交互に作動される２つのパワートランジスタを備え整流器回路に接続されたハーフブリッジ回路を有している。２つのパワートランジスタの共通接続点はハーフブリッジ回路の出力端を形成し、この共通接続点に、少なくとも１つの蛍光ランプを含んで負荷電流を監視される負荷回路が接続されている。このために集積回路の形態の制御・調整回路が設けられている。この制御・調整回路は、負荷電流を連続監視する監視回路と、これから導出されて高周波調整されるパワートランジスタ駆動回路とを備えている。この公知の安定器において、ランプ始動時ならびに点灯中に現れる障害の発生時に規定されて時間発信器が始動され、この時間発信器がこれに接続されている制御・調整回路に対して時間基準を発生する。この時間基準に基づいて監視回路内には検出されるべき負荷電流に対してそれぞれ予め定められた種々の基準レベルが設定され、もしくは予め定められた所定期間の間電子安定器の自動遮断が準備される。監視回路は負荷電流の瞬時値をその都度作動された基準レベルと比較し、負荷電流の瞬時値がこの基準レベルに到達する際にその都度１つの出力パルスを発生する。この出力パルスは予め定められ時間発信器によって規定された期間中におけるその発生もしくは不発生に応じて負荷回路の正常状態もしくは故障状態を表す。この出力パルスによって、正常な点灯状態の場合には調整された駆動回路を介してランプ電流が時間に関係して調整され、故障の場合には電子安定器の既に準備されている自動遮断が起動される。
【０００３】
上述の種類の全電子安定器は通常の電源交流電圧用として比較的広い公差範囲すなわち許容電源周波数の広い範囲で有利に適用される汎用機器であり、しかも直流電源用としても適している。電子安定器を適用する際の主要な問題の１つは、種々のランプ型式（例えば複数の蛍光ランプも）が部分的に変更された回路において使用され、これがこの適用例に特有に適応した安定器の相応する多種多様性な型式を生み出すことにある。従って、安定器の制御・調整回路が統合されているできるだけ単一の大規模集積回路を用いて、この多種多様性な型式に対応することは簡単ではない。妥協策は、所望の高集積度を少し断念して、集積回路の相応する制御入力が外部の構成要素によって合わせられることである。
【０００４】
すなわち例えば上述した電子安定器において、点弧電圧の大きさは集積回路の内部に規定された固定の閾値によって決められるので、点弧電圧の大きさを任意に設定することができない。与えられた公差範囲の枠内で許容される点弧電圧及び／又は予熱電圧の、種々異なった適用例に対して必要な整合は、公知の電子安定器の場合も、せいぜい集積回路の適当な外部回路によって、従って相応する費用を掛けて達成される。
【０００５】
【発明が解決しようとする課題】
そこで、本発明の課題は、冒頭で述べた種類の少なくとも１つの蛍光ランプの点灯方法において、蛍光ランプが老化している場合にも負荷電流の確実な調整を可能にすると共に、危険な点弧挙動を持つ型式のランプが使用されねばならないような適用例をも確実に制御することができるような構成を提供することにある。
【０００６】
本発明の他の課題は、冒頭で述べた述べた種類の電子安定器を、その制御・調整回路の適切な集積度にも拘わらず、従って外部回路用の少ない費用で持って、広範囲に亘る簡単な整合によって、確実に種々の適用例において使用可能となるように形成することにある。
【０００７】
【課題を解決するための手段】
点灯方法に関する本発明の課題は、冒頭で述べた種類の方法において請求項１の特徴部に記載された構成要件を設けることによって解決される。同様に、電子安定器に関する課題は、冒頭で述べた種類の電子安定器において請求項５の特徴部に記載された構成要件を設けることによって解決される。
【０００８】
本発明による解決策は、簡単な手段を用いて、負荷電流の監視に関する電子安定器の公差範囲を拡大することを可能にする。これは負荷回路が複数の蛍光ランプを備えたランプ回路を含む場合に特に有利である。このようなランプ回路において、しかし危険な点弧挙動を持つ蛍光ランプにおいても、与えられた集積回路を用いて公差範囲を確実に制御することは困難である。集積回路では公差範囲を容易に十分に予め定めることができない。その場合、場合によっては危険な点灯状態（例えば、蛍光ランプが老化している場合の嫌々ながらの点弧もしくは断続する点弧）はもはや良好に検出されない。電子安定器が予め定められた集積制御・調整回路を備え、これによって危険なランプ回路を駆動する他のやり方は、費用を掛けて、集積回路の外部回路をその都度の適用例に整合させることである。
電子安定器は今日高いコスト圧縮を図る際には十分に自動化されて製造されねばならない製品であることを考慮すると、このような解決策は経済的ではない。
【０００９】
この問題は本発明によれば比較的簡単な回路手段を用いて巧みに解決される。
制御・調整回路において監視されるべき負荷電流信号に、補助的な電流源から与えられ、その都度使用されるランプ回路に応じて設定可能であるレベルを有する直流電流信号が重畳される。予熱電圧、特に点弧電圧は制御するのが困難であるこれらの適用例においては危険であるので、この重畳は予熱期間の終了と共に開始する点弧期間に対してだけ行えば十分である。
【００１０】
実施態様に挙げられているように、補助的な電流源のレベル整合は、設定されるべきレベルが内部において整合抵抗を流れる電流から導出されることによって簡単な手段を用いて確実に達成することができる。かかる整合抵抗は外部抵抗として、電流に依存して制御される発振器（以下においては電流制御発振器という）に付設され、その抵抗値によってハーフブリッジ回路のブランキングインターバルが決定される。負荷回路の種々のランプ回路への回路整合は単一の抵抗の相応する抵抗値によって実行することができる。
【００１１】
本発明の実施態様において、電子安定器の個々の点灯状態のためには絶対に必要な負荷電流調整を一時的に、かつ電流制限が点弧期間中無効にされる場合には、不作動にしておくことは特に有利である。このために監視回路に、予熱閾値もしくは点弧閾値のレベル間に位置するレベルを有する別の閾値が設けられる。この別の閾値に対して負荷電流信号を評価する際に監視回路から発信される新しい出力パルスによって、周期的にリセットされ作動状態において電流制御発振器を介する電流調整を中断するスイッチがセットされる。
【００１２】
【発明の実施の形態】
本発明の実施の形態を図面に基づいて詳細に説明する。
【００１３】
図１には、少なくとも１つの蛍光ランプを点灯するための電子安定器ならびにここでは例として１つの蛍光ランプを有する固有の負荷回路が示されている。図示されている電子安定器は、原理的な構成ならびに多数の回路細部が既に冒頭で述べたヨーロッパ特許第０８０１８８１号明細書によって知られている電子安定器に基づいている。従って、公知の回路部品ならびに本発明との関連においてあまり重要ではない機能は以下においては説明を簡略されている。
【００１４】
交流電圧ｕには高周波フィルタ１と整流器ブリッジ２と昇圧回路３とが接続され、昇圧回路３は充電インダクタＬ１，充電ダイオードＤ１，第１のパワートランジスタＶ１，及び出力段としての蓄積コンデンサＣｏを有している。パワートランジスタＶ１は集積回路として構成された制御・調整回路ＩＣを介して駆動される。昇圧回路３はその出力端から、整流された電源電圧に比べて昇圧されている安定化直流電圧いわゆる中間回路電圧を供給する。さらに、ハーフブリッジ回路を有するインバータが設けられ、そのハーフブリッジ回路はここでは特に昇圧回路３の出力端に対して並列に位置する２つの直列なパワートランジスタＶ２，Ｖ３ならびにブリッジコンデンサＣＢによって実現されている。ハーフブリッジ回路Ｖ２，Ｖ３の出力端には、インダクタＬ２，蛍光ランプＦＬ及び点弧コンデンサＣｚを有する負荷回路４が接続されている。
【００１５】
電子安定器の全ての主要な制御・調整機能は制御・調整回路ＩＣにおいて実現される。概要を分かり易くする理由から、制御・調整回路ＩＣは図１においては外部の構成要素に接続される外部端子Ｐ１〜Ｐ２４を備えたモジュールとしてのみ示されており、このために図２においてブロック回路の形態で補足的に詳細に示されている。
【００１６】
実際の使用において制御・調整回路ＩＣへの所定の電流供給は相当重要であるが、この場合これは既に公知であることを前提とする。従って、図２において、制御・調整回路ＩＣの機能の良好な始動を保証しこのために外部に接続されている充電コンデンサＣｃｃの充電状態によって制御される電流供給ユニットＩＰＧは概略的に簡単に示されている。定常状態において、ブリッジコンデンサＣＢに接続されているポンピングダイオードＤＢを介して行われる制御・調整回路ＩＣの電流供給は外部の充電コンデンサＣｐを用いてニ位置調節器ＴＰＲによって行われる。電流供給ユニットＩＰＧは制御・調整回路ＩＣの内部の回路ユニットに給電するために内部の補助電圧ＩＣ−ＢＩＡＳを発生し、さらに基準電圧Ｖｒｅｆを供給する。さらに、制御・調整回路ＩＣは力率制御装置ＰＦＣを含んでいることを示唆だけしておく。
【００１７】
制御・調整回路ＩＣの他の制御・調整機能も既に知られている。すなわち、ハーフブリッジ回路Ｖ２，Ｖ３の駆動回路は、選択回路ＳＥＬと、これに接続されたドライバ回路ＨＳＤ，ＬＳＤとから構成されている。高周波パルス列は選択回路ＳＥＬの制御入力端に供給され、この選択回路ＳＥＬはドライバ回路ＨＳＤ，ＬＳＤを介してハーフブリッジ回路のパワートランジスタＶ２，Ｖ３をフリップフロップの様式に基づいて交互に所定のブランキングインターバルで導通させる。
【００１８】
そのパルス列は外部端子Ｐ２３，Ｐ２４，Ｐ３と同じである３つの設定入力端子を有する電流制御発振器ＣＣＯから供給される。端子Ｐ２３には第１の設定抵抗ＲＴＬが接続され、その抵抗値によって特にハーフブリッジ回路のパワートランジスタＶ２，Ｖ３のブランキングインターバルが決定される。外部端子Ｐ２４には設定コンデンサＣｆが接続されている。発振器ＣＣＯの第３端子は外部端子Ｐ３に接続され、特に抵抗Ｒｆ，Ｒｆｍｉｎ及び他の設定コンデンサＣｃによって形成されている高インピーダンスのフィルタ回路網に接続されている。上述の外部構成要素ないしはフィルタ回路網は他方ではアースないしは所定の基準電位（以下の説明においてはアースを例として説明する）に接続されている。これらの外部構成要素の設定値は電流制御発振器ＣＣＯの下限ないしは上限周波数及び上述のブランキングインターバルの大きさを決定する。高インピーダンスのフィルタ回路網を介して、電流制御発振器ＣＣＯに、瞬時周波数を決定する制御信号が供給される。この制御信号は調整演算増幅器ＯＰＲによって発生される。この調整演算増幅器ＯＰＲは内部に発生された基準電圧Ｖｒｅｆを外部端子Ｐ５を介して供給された第２の入力電圧と比較する。この第２の入力電圧はハーフブリッジ回路Ｖ２，Ｖ３を通って流れる電流の平均値である。
【００１９】
上述した発振器回路はハーフブリッジ回路内を流れる負荷電流を調整するための閉ループの調整回路を構成している。負荷電流が増大すると、調整演算増幅器ＯＰＲの出力電圧が上昇し、これによって発振器ＣＣＯがパルス列周波数を高めるように制御される。しかしながら、この周波数上昇は負荷電流を減少させる。
同様なことは負荷電流が低下する際に逆方向に生じる。この電子安定器は基準電圧Ｖｒｅｆを適切に決定することによって調光可能でもある。
【００２０】
さらに、制御・調整回路ＩＣには、ランプ始動を制御するために、定常点灯において蛍光ランプＦＬの状態を監視し障害発生を検知する監視機能が組み込まれている。このために、負荷電流すなわちハーフブリッジ回路Ｖ２，Ｖ３を通って流れる電流を連続的に監視する監視回路ＭＯＮと、この監視過程のための時間基準を与える時間発信器ＰＳＴとが設けられている。
【００２１】
第１の内部電流源ＩＴは外部端子Ｐ６を介して、アースに接続されている充電コンデンサＣＴに接続されている。この内部電流源ＩＴは電子安定器が始動すると作動され、外部の充電コンデンサＣＴを充電する。その際に外部端子Ｐ６に、最終値まで直線的に増大する信号電圧が形成され、この信号電圧が時間発信器ＰＳＴの制御入力端に供給され、この時間発信器ＰＳＴに対して時間基準を与える。このために、その信号電圧は時間発信器ＰＳＴにおいて予め定められた閾値と比較される。時間発信器ＰＳＴは信号電圧がそれぞれの閾値に到達するとその都度１つの選択信号Ｓ１，Ｓ２，Ｓ３，Ｓ４を発生し、この時間列を用いて、蛍光ランプＦＬを予熱、点弧、それに続く正常点灯を行うためのもしくは故障（特に断続する点弧又は永続的に続く嫌々ながらの点弧）発生時に蛍光ランプＦＬの駆動をリセットするための所定の時期を規定する。時間発信器ＰＳＴから発生された選択信号Ｓ１〜Ｓ４の意味は監視回路ＭＯＮの機能に関連して説明する。
【００２２】
監視回路ＭＯＮは制御入力端を有し、この制御入力端は外部端子Ｐ７と前置抵抗とを介してハーフブリッジ回路Ｖ２，Ｖ３の低レベル出力端に接続されている。その制御入力端を介して監視回路ＭＯＮに供給された入力信号はパワートランジスタＶ３を通って流れる電流すなわち負荷電流に比例するパルス電流である。
この信号に、直流バイアス電圧として、時間発信器ＰＳＴの選択信号Ｓ４によって一時的に作動される別の内部電流源ＩＭの出力信号が重畳される。この第２の内部電流源ＩＭから発生されたバイアス電圧信号ＤＣのレベルは電流制御発振器ＣＣＯの設定抵抗ＲＴＬを流れる電流から導き出される。このために制御・調整回路ＩＣは内部において電流ミラー回路を介して、設定抵抗ＲＴＬを通って流れる内部電流源ＩＭの電流の一部を供給される。
【００２３】
この外部設定抵抗ＲＴＬの抵抗値設定によって、制御・調整回路ＩＣの内部整合又は付加的な外部端子を必要とすることなく、監視回路ＭＯＮの監視機能を負荷回路４、特にランプ型式もしくはランプ回路の構成変更に整合させることができる。換言すれば、この手段によって、予熱電圧もしくは点弧電圧に対する監視回路ＭＯＮの応動閾値が固定的に予め定められているにも拘わらず、外部設定抵抗ＲＴＬの抵抗値設定によって個々の適用例に対するこの監視機能を特別に構成することが可能である。制御・調整回路ＩＣはそれによって負荷回路４の回路構成の多様な変更に対して内部整合を要することなく幅広く適用可能であり、特に特定のランプ型式における点弧電流の公差にも良好に対処することができる。
【００２４】
原理的には、監視回路ＭＯＮにおいて、ランプ始動時及び正常点灯においても所定の期間で規定されて、監視すべき負荷電流に対する予め定められた多数の閾値の内の１つを作動することが考えられる。監視回路ＭＯＮの入力信号のレベルが瞬間的に作動される閾値に到達するや否や、この監視回路ＭＯＮが出力信号ＱＭを発生する。時間の経過と共に、これは短時間の出力パルスＱＭのパルス列を生じ、その出力パルスＱＭによって制御・調整回路ＩＣの他のユニットにおいて制御過程がそれぞれ開始させられる。
【００２５】
これはとりわけ電流調整用の他の調整回路に関係する。このために第３の内部電流源ＩＳＣが設けられており、その出力端は外部端子Ｐ１を介して既に説明した外部の低域フィルタに接続されている。第３の内部電流源ＩＳＣはフリップフロップの様式に基づいてその都度監視回路ＭＯＮの出力パルスＱＭによってセットされ、もしくは選択回路ＳＥＬによってリセットされる。それによって、第３の内部電流源ＩＳＣは低域フィルタの外部コンデンサＣｃを充電する。外部コンデンサＣｃの充電に比例して、外部端子Ｐ３を介して電流制御発振器ＣＣＯの制御入力端に供給される入力電流Ｉｆが変化する。このようにして、負荷電流を周期的にそれぞれ予め決められた値に調整する別の閉ループ調整回路が形成される。その予め決められた値は監視回路ＭＯＮの瞬間的に作動される閾値によって決定される。この第２の調整回路は定常点灯のための初めに述べた電流調整の下位に位置し、ランプ始動時ならびに障害検知時に負荷電流を制限しかつ調整する。
【００２６】
監視回路ＭＯＮの機能をランプ始動時におけるシーケンス制御に基づいて明らかにする。電子安定器に電源電圧が印加され、電源電圧が投入閾値に到達するや否や、既に述べたように制御・調整回路ＩＣが作動される。電流制御発振器ＣＣＯがその後予め定められた下限周波数で始動し、それによって選択回路ＳＥＬを駆動し、この選択回路ＳＥＬはドライバ回路ＨＳＤ，ＬＳＤを介してハーフブリッジ回路Ｖ２，Ｖ３を作動させる。第１の内部電流源ＩＴは外部の充電コンデンサＣＴを充電し始め、時間発信器ＰＳＴを作動させる。ランプ始動は予熱期間Δｐｔで開始する。監視回路ＭＯＮにおいて予熱電流に対する相応する比較的低い閾値Ｍｐが作動される。監視回路ＭＯＮは負荷電流のパルスがこの閾値Ｍｐに到達する都度出力信号ＱＭを発信する。これを用いてその都度選択回路ＳＥＬがトリガされ、第３の内部電流源ＩＳＣが作動される。それによってこの電流源ＩＳＣの機能に関連して説明した電流調整用の上位のすなわち第２の調整回路が作動させられる。この予熱期間Δｐｔ中、信号増幅器ＱＰＴの出力が遮断される。この出力は例えば予熱回路を制御するために、又は監視回路ＭＯＮの制御入力端におけるＤＣバイアス電圧を設定するために、任意の予熱電圧設定を行うために使用することができる。
【００２７】
さらに続く経過において、時間発信器ＰＳＴの直線的に増大する入力電圧が予め定められた予熱レベルに到達する。予熱期間Δｐｔが終了し、時間発信器ＰＳＴが選択信号Ｓ１を発生し、これが監視回路ＭＯＮと信号増幅器ＱＰＴとに与えられる。監視回路ＭＯＮにおいてはそれによって蛍光ランプＦＬの点弧電流に対する高い閾値が作動され、点弧期間Δｉｔが開始する。点弧期間Δｉｔの開始とほぼ同時に、好ましくは直後に、時間発信器ＰＳＴが新しい選択信号すなわち第４の選択信号Ｓ４を発生し、そのパルス後縁は時間発信器ＰＳＴの入力信号の最大レベルへの到達と同時に生ずる。この第４の選択信号Ｓ４によって第２の内部電流源ＩＭが作動され、さらにフリップフロップの様式に基づいて制御されるスイッチＯＰＲｄが釈放される。次の関係式
Ｍｐ＜Ｍｄ＜Ｍｉ
が当てはまり、監視回路において作動された新しい閾値Ｍｄに関係して、監視回路ＭＯＮはこれに供給され負荷電流に比例する入力信号をこの閾値に基づいて監視し、それに応じて新しい出力パルスＱＭ１を供給する。この各パルスによって、上記スイッチＯＰＲｄが先ずセットされ、選択回路ＳＥＬの出力信号によってその都度リセットされる。スイッチＯＰＲｄのスイッチオンによって、アース電位が外部端子Ｐ５に接続されている調整演算増幅器ＯＰＲの非反転入力端に与えられる。このようにして点弧期間Δｉｔ中は調整演算増幅器ＯＰＲによる負荷電流の制限が無効にされる、すなわち点弧電圧は制限されない。
【００２８】
正常の場合、蛍光ランプＦｌは予め定められた時間内に数回の試し点弧が行われた後に点弧される。負荷電流のピーク値はその後自動的に正常の点灯値に戻り、監視回路ＭＯＮの閾値Ｍｉにもはや到達しない。すなわち、新しい出力パルスＱＭは発生されない。
【００２９】
しかし時間発信器ＰＳＴはさらに動作し続ける。その増大する入力電圧は先ず予め定められた点弧レベルを通過し、最後に時間発信器ＰＳＴをリセットする最大レベルに到達する。この最大レベルへの到達によって時間発信器ＰＳＴが出力信号Ｓ３を発生する。この出力信号Ｓ３は一方では監視回路ＭＯＮにおいて閾値Ｍｏを作動する。この閾値Ｍｏは蛍光ランプＦＬの正常点灯においては評価された負荷電流によって到達されない、すなわち監視回路ＭＯＮからは新しい出力パルスＱＭは発生されない。他方では第３の選択信号Ｓ３によって時間発信器ＰＳＴに付設されている第２の内部電流源ＩＴが遮断される。この内部電流源ＩＴに接続されている充電コンデンサＣＴが放電し始める、すなわち時間発信器ＰＳＴに供給される入力信号が正常点灯において保持される一定のレベルまで低下する。しかしながら、定められた点弧期間Δｉｔの終了と共に、時間発信器ＰＳＴが新しい選択信号すなわち第２の選択信号Ｓ２を発生する。この第２の選択信号Ｓ２は時間発信器ＰＳＴの入力信号が低下する際に再び点弧レベルを通過するまで保持される。第２の選択信号Ｓ２のパルス期間は点弧期間Δｉｔに続く遮断期間Δｓｔを規定する。この遮断期間Δｓｔにおいて、故障発生の場合に電子安定器の遮断が準備される。
【００３０】
この機能を実施するために、カウンタＣＴＲと遮断回路ＳＤＬとを備えた遮断ユニットが設けられている。カウンタＣＴＲは第２の選択信号Ｓ２の立上がりエッジならびに立下りエッジによってリセットされる。カウンタＣＴＲには監視回路ＭＯＮの出力パルスＱＭがカウントパルスとして供給される。正常の始動過程の場合、カウンタＣＴＲは例えば４個のカウントパルスの後にその最終値に到達し、内部電流源ＩＴを作動する。さらに続く過程において、第２の選択信号Ｓ２の前側エッジがカウンタＣＴＲをリセットし、遮断回路ＳＤＬを準備のために遮断する。今、無駄な試し点弧の回数すなわち今発生される出力パルスの個数がカウントされる。カウンタＣＴＲが嫌々ながら点弧されるランプの場合にその最終値に到達すると、カウンタＣＴＲが準備のために遮断された遮断回路ＳＤＬを作動する。この遮断回路ＳＤＬはその後とりわけ選択回路ＳＥＬを阻止し、それによってハーフブリッジ回路Ｖ２，Ｖ３の駆動を中断させる。同じようにして、正常点灯中に蛍光ランプＦＬが断続する場合時間発信器が再び作動され、新たな試し点弧が監視回路ＭＯＮにおいて評価され、出力パルスが発生される。これによって、無駄な試し点弧が数回行われた後に電子安定器の上述の遮断が行われる。
この措置によって採用されたヒステリシスが短時間の障害を抑制し、電子安定器の高い信頼性を生ずる。
【００３１】
完全性を期するために、制御・調整回路ＩＣは結局比較的幅広い公差範囲で負荷電流の変化に適応するように設計されていることを付記しておく。その変化は特に多数のランプが存在する場合の調光状態時に、又は例えば老化した高抵抗フィラメントによって惹き起される危険なランプ公差の際に現れる。これらの場合、調整演算増幅器ＯＰＲはその規定された調整範囲内ではもはや動作しなくなる。この状態は別のコンパレータＣＯＭＰによって検出される。このコンパレータＣＯＭＰはその非反転入力端が外部端子Ｐ１に接続され、その反転入力端が内部に発生された比較電圧Ｖｃｃ‘を供給される。この比較電圧Ｖｃｃ’は正常な点灯状態において充電コンデンサＣｃｃに現れる電圧に比べて一義的に、例えば２５％低くされている。この種の点灯状態が生じると、コンパレータＣＯＭＰは監視回路ＭＯＮに制御信号を与え、この制御信号によって監視回路ＭＯＮに、全ての基準レベルＭｐ，Ｍｉ，Ｍｄｏ，Ｍｏを一義的に低下させるような状態が設定される。監視回路ＭＯＮは従ってランプ電流が少ない場合でも良好に動作する。
【図面の簡単な説明】
【図１】負荷回路が接続されている電子安定器を示し、この電子安定器の制御・調整回路が集積回路として形成されて概略的に示されているブロック回路図。
【図２】電子安定器の制御・調整回路の構成を詳細に示す回路図。
【符号の説明】
１        高周波フィルタ
２        整流器ブリッジ
３        昇圧回路
４        負荷回路
ＩＣ        制御・調整回路
Ｖ１        ハーフブリッジ回路、パワートランジスタ
Ｖ２        ハーフブリッジ回路、パワートランジスタ
ＦＬ        蛍光ランプ
ＩＰＧ        電流供給ユニット
ＭＯＮ        監視回路
ＰＳＴ        時間発信器
ＣＣＯ        電流制御発振器
ＯＰＲ        調整演算増幅器
ＨＳＤ        ドライバ回路
ＬＳＤ        ドライバ回路
ＱＰＴ        信号増幅器
ＳＥＬ        選択回路
ＩＴ        第１の内部電流源
ＩＭ        第２の内部電流源
ＩＳＣ        第３の内部電流源
ＯＰＲｄ        スイッチ
【図１】
0004570734.tif 000002
【図２】
0004570734.tif 000003